(57)【要約】【課題】遊技客の来店状況をなるべく正確に管理すること。【解決手段】遊技機２０に併設される台間カード処理機１０は、会員カードの挿入を受け付けた場合にカードＩＤを読み取って会員管理装置５０に通知する。会員管理装置５０は、台間カード処理機１０からの通知に基づいて、会員カードの挿入日時と排出日時を来店履歴データ５５ｄに登録する。会員管理装置５０は、来店履歴データ５５ｄに示された挿入日時と排出日時に基づいて、１の遊技客による複数の会員カードの使用を検出する。【選択図】図１
2018126320.tif 000002
【特許請求の範囲】
【請求項１】
遊技媒体を用いて遊技を行う遊技機が設置された遊技店において遊技の管理を行う遊技管理システムであって、
遊技客に対応付けられた記憶媒体の識別情報を読み取る読取部と、
前記読取部によって読み取られた前記識別情報に基づいて前記遊技客の来店履歴を管理する来店履歴管理部と、
前記来店履歴に示された前記識別情報の読み取り状況に基づいて、１の遊技客による複数の記憶媒体の使用を検出する検出部と
を備えたことを特徴とする遊技管理システム。
【請求項２】
前記検出部は、第１の記憶媒体の排出から第２の記憶媒体の受付までの時期的条件に基づいて、同一の遊技客が前記第１の記憶媒体と前記第２の記憶媒体とを使用した可能性があると判定することを特徴とする請求項１に記載の遊技管理システム。
【請求項３】
前記検出部は、同一の遊技客により使用された可能性があると判定した前記第１の記憶媒体と前記第２の記憶媒体の識別情報の組み合わせを履歴として管理し、履歴にある同一の識別情報の組み合わせ数に関する条件に基づいて、同一の遊技客が前記第１の記憶媒体と前記第２の記憶媒体とを使用したと判定する
ことを特徴とする請求項２に記載の遊技管理システム。
【請求項４】
前記検出部は、前記記憶媒体の受付から排出までの時間の長さを用いて、当該記憶媒体が他の記憶媒体と同一の遊技客により使用されたか否かを判定することを特徴とする請求項１〜３のいずれか一つに記載の遊技管理システム。
【請求項５】
前記検出部は、前記記憶媒体の受付から排出までの間に、当該記憶媒体に関連付けられる価値に関する条件に基づいて、当該記憶媒体が他の記憶媒体と同一の遊技客により使用されたと判定することを特徴とする請求項１〜４のいずれか一つに記載の遊技管理システム。
【請求項６】
複数の記憶媒体を使用した遊技客がある場合に所定の報知出力を行う報知出力部をさらに備えたことを特徴とする請求項１〜５のいずれか一つに記載の遊技管理システム。
【請求項７】
前記遊技客の来店により特典を付与する特典付与部をさらに備え、
前記特典付与部は、前記検出部によって１の遊技客による複数の記憶媒体の使用が検出された場合に、当該検出結果に基づいて前記特典の付与を抑制する
ことを特徴とする請求項１〜６のいずれか一つに記載の遊技管理システム。
【請求項８】
遊技媒体を用いて遊技を行う遊技機が設置された遊技店において遊技の管理を行う遊技管理方法であって、
遊技客に対応付けられた記憶媒体の識別情報を読み取る読取ステップと、
前記読取ステップによって読み取られた前記識別情報に基づいて前記遊技客の来店履歴を管理する来店履歴管理ステップと、
前記来店履歴に示された前記識別情報の読み取り状況に基づいて、１の遊技客による複数の記憶媒体の使用を検出する検出ステップと
を含むことを特徴とする遊技管理方法。
【発明の詳細な説明】
【技術分野】
【０００１】
この発明は、遊技店における遊技を管理する遊技管理システム及び遊技管理方法に関する。
【背景技術】
【０００２】
従来、パチンコ店等の遊技店では、遊技客を識別する識別情報に関連付けて遊技客に関する各種情報を管理し、遊技客に対する様々なサービスを行なっている。例えば、特許文献１は、遊技店に会員登録した遊技客の会員ＩＤに対応付けて遊技媒体数を管理し、該遊技媒体数を翌日以降も遊技や賞品交換に使用可能とする貯玉サービスを提供する貯玉管理装置を開示している。
【０００３】
遊技客は、遊技において獲得した遊技媒体数である持玉を上述の貯玉管理装置に登録することで、持玉を貯玉に移行させることができる。持玉は、所定の期限内のみ（例えば当日の閉店時間まで）遊技や賞品交換に使用可能であるが、貯玉に移行させることにより所定の期限を超えて使用できることとなる。なお、遊技媒体としては遊技玉の他、メダル等も用いられるが、本明細書では説明を簡明にするため、遊技媒体の形状に関わらず持玉、貯玉と称する。
【０００４】
また、特許文献２は、貯玉の再プレイに手数料を課するとともに、１営業日において所定数までの貯玉の再プレイについては手数料を無料とする優遇措置を設ける遊技場用システムを開示している。さらに、この特許文献２では、他人の遊技客の会員ＩＤを借りることで複数人分の優遇措置を享受しようとする名義借への対策が示されている。
【先行技術文献】
【特許文献】
【０００５】
【特許文献１】特開２０１１−２１７８４６号公報
【特許文献２】特許第５２５４８４７号
【発明の概要】
【発明が解決しようとする課題】
【０００６】
しかしながら、従来の技術では、遊技客の来店を正確に管理できないという問題点があった。遊技客の来店状況は、遊技店にとって運営の方針に影響する重要な情報であるが、例えば、会員登録した遊技客であっても、会員ＩＤを記録した会員カードを使用せずに遊技をすると、一般の遊技客と区別がつかず、来店を検知することができない。
【０００７】
そのため、例えば、遊技店内の装置が会員カードを読み取った場合に来店に対する特典を付与するなどにより、会員カードの使用を促し、来店の促進と会員の来店状況の管理を行うことが行われている。
【０００８】
しかし、１の遊技客が複数枚の会員カードを所持していると、会員の来店状況は不正確にならざるを得ない。
【０００９】
これらのことから、遊技客の来店状況をいかにして正確に管理するかが重要な課題となっている。
【００１０】
本発明は、上述した問題点を解消し、課題を解決するためになされたものであって、遊技客の来店状況をなるべく正確に管理することのできる遊技管理システム及び遊技管理方法を提供することを目的とする。
【課題を解決するための手段】
【００１１】
上述した課題を解決し、目的を達成するため、本発明は、遊技媒体を用いて遊技を行う遊技機が設置された遊技店において遊技の管理を行う遊技管理システムであって、遊技客に対応付けられた記憶媒体の識別情報を読み取る読取部と、前記読取部によって読み取られた前記識別情報に基づいて前記遊技客の来店履歴を管理する来店履歴管理部と、前記来店履歴に示された前記識別情報の読み取り状況に基づいて、１の遊技客による複数の記憶媒体の使用を検出する検出部とを備えたことを特徴とする。
【００１２】
また、本発明は、上記発明において、前記検出部は、第１の記憶媒体の排出から第２の記憶媒体の受付までの時期的条件に基づいて、同一の遊技客が前記第１の記憶媒体と前記第２の記憶媒体とを使用した可能性があると判定することを特徴とする。
【００１３】
また、本発明は、上記発明において、前記検出部は、同一の遊技客により使用された可能性があると判定した前記第１の記憶媒体と前記第２の記憶媒体の識別情報の組み合わせを履歴として管理し、履歴にある同一の識別情報の組み合わせ数に関する条件に基づいて、同一の遊技客が前記第１の記憶媒体と前記第２の記憶媒体とを使用したと判定することを特徴とする。
【００１４】
また、本発明は、上記発明において、前記検出部は、前記記憶媒体の受付から排出までの時間の長さを用いて、当該記憶媒体が他の記憶媒体と同一の遊技客により使用されたか否かを判定することを特徴とする。
【００１５】
また、本発明は、上記発明において、前記検出部は、前記記憶媒体の受付から排出までの間に、当該記憶媒体に関連付けられる価値に関する条件に基づいて、当該記憶媒体が他の記憶媒体と同一の遊技客により使用されたと判定することを特徴とする。
【００１６】
また、本発明は、上記発明において、複数の記憶媒体を使用した遊技客がある場合に所定の報知出力を行う報知出力部をさらに備えたことを特徴とする。
【００１７】
また、本発明は、上記発明において、前記遊技客の来店により特典を付与する特典付与部をさらに備え、前記特典付与部は、前記検出部によって１の遊技客による複数の記憶媒体の使用が検出された場合に、当該検出結果に基づいて前記特典の付与を抑制することを特徴とする。
【００１８】
また、本発明は、遊技媒体を用いて遊技を行う遊技機が設置された遊技店において遊技の管理を行う遊技管理方法であって、遊技客に対応付けられた記憶媒体の識別情報を読み取る読取ステップと、前記読取ステップによって読み取られた前記識別情報に基づいて前記遊技客の来店履歴を管理する来店履歴管理ステップと、前記来店履歴に示された前記識別情報の読み取り状況に基づいて、１の遊技客による複数の記憶媒体の使用を検出する検出ステップとを含むことを特徴とする。
【発明の効果】
【００１９】
本発明によれば、遊技客の来店状況を正確に管理することができる。
【図面の簡単な説明】
【００２０】
【図１】図１は、本実施例に係る遊技管理システムの概念の説明図である。
【図２】図２は、遊技店のシステム構成を示す図である。
【図３】図３は、台間カード処理機の外観を示す図である。
【図４】図４は、図２に示した台間カード処理機の構成を示す機能ブロック図である。
【図５】図５は、台間カード処理機の記憶部に記憶されるデータの一例を説明するための説明図である。
【図６】図６は、図２に示した会員管理装置の構成を示す機能ブロック図である。
【図７】図７は、会員管理装置の記憶部に記憶されるデータの一例を説明するための説明図である。（その１）
【図８】図８は、会員管理装置の記憶部に記憶されるデータの一例を説明するための説明図である。（その２）
【図９】図９は、来店履歴の生成についての説明図である。
【図１０】図１０は、会員管理装置による来店履歴にかかる処理手順を示すフローチャートである。
【図１１】図１１は、来店履歴の生成の変形例についての説明図である。
【図１２】図１２は、来店ポイントの付与を抑制する場合の処理の説明図である。
【発明を実施するための形態】
【００２１】
以下に、添付図面を参照して、本発明に係る遊技管理システム及び遊技管理方法の好適な実施例を詳細に説明する。
【００２２】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客及び会員遊技客の双方が使用可能であり、遊技に用いる遊技機の変更（いわゆる台移動）を行った場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例】
【００２３】
まず、本実施例に係る遊技管理システムの概念について説明する。図１は、本実施例に係る遊技管理システムの概念の説明図である。遊技店には複数の遊技機２０が設置されており、各遊技機２０には各台装置である台間カード処理機１０が併設される。また、遊技店には、会員管理装置５０が設けられており、各台間カード処理機１０は会員管理装置５０と通信可能に接続される。
【００２４】
台間カード処理機１０は、入金の受付、遊技玉の貸し出し、持玉や貯玉の払い出しなどを行う装置である。また、台間カード処理機１０は、会員カードの挿入を受け付けた場合には、会員カードのカードＩＤを読み取って、会員管理装置５０に送信する。
【００２５】
会員管理装置５０は、台間カード処理機１０から受信した会員カードのカードＩＤを用いて、会員の来店履歴を示す来店履歴データ５５ｄを生成する。図１に示すように、来店履歴データ５５ｄは、日時と会員カードのカードＩＤと処理とを対応付けたデータである。ここで、処理は、台間カード処理機１０への挿入、台間カード処理機１０からの排出などを示す。
【００２６】
図１では、遊技客がカードＩＤ「２００１」の会員カードを挿入した後、すぐに排出し、カードＩＤ「２００２」の会員カードを挿入している。このため、来店履歴データ５５では、日時「７／１  １０：００：００」にカードＩＤ「２００１」及び処理「挿入」を対応付け、日時「７／１  １０：００：１０」にカードＩＤ「２００１」及び処理「排出」を対応付け、日時「７／１  １０：００：１１」にカードＩＤ「２００２」及び処理「挿入」を対応付けた状態となっている。
【００２７】
会員管理装置５０は、このようにして生成した来店履歴データ５５ｄにより、会員遊技客の来店状況を管理する。さらに、会員管理装置５０は、来店履歴データ５５ｄに基づいて、１の遊技客による複数の会員カードの使用を検出する。
【００２８】
具体的には、会員カードを排出してから他の会員カードが挿入されるまでの時間が所定時間以内である場合には、同一の遊技客が会員カードの排出と次の会員カードの挿入を行った可能性があると判定する。図１に示した例では、カードＩＤ「２００１」の会員カードを排出してから１秒後にカードＩＤ「２００２」の会員カードが挿入されている。このため、カードＩＤ「２００１」の会員カードとカードＩＤ「２００２」の会員カードとが同一の遊技客によって使用された可能性があると判定することになる。
【００２９】
このように、台間カード処理機１０が会員カードのカードＩＤを読み取り、会員管理装置５０が来店履歴データ５５ｄを生成し、来店履歴データに示された会員カードの読み取り状況に基づいて１の遊技客による複数の会員カードの使用を検出することで、遊技客の来店状況を正確に管理することができる。
【００３０】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。
【００３１】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。始動口への玉の通過による抽選の結果は、抽選の結果を表示する特別図柄表示装置にて表示される。この特別図柄表示装置の抽選結果の表示は、所定時間の変動表示後、確定表示を行う態様で行なわれる。また、遊技盤面には、抽選の結果に基づいて所定の数字等の装飾図柄を可変表示する装飾図柄表示装置が設けられており、抽選の結果が大当りとなった場合に、例えば（７，７、７）などの揃い図柄を表示して報知を行なう。なお、始動領域と入賞領域を兼ねた領域を設けることもできる。
【００３２】
上記入賞領域には、当該入賞領域への遊技玉の通過を検出するための入賞センサが設けられており、この入賞センサにより入賞領域へ打ち込まれた遊技玉の通過（入賞）を検知するようになっている。また、遊技機２０の制御部は、入賞領域ごとに賞玉として付与する遊技玉の個数を記憶する賞玉メモリを有している。
【００３３】
したがって、打ち込んだ遊技玉の特定の入賞領域への通過が入賞センサにより検知されると、遊技機２０は、賞玉メモリの記憶内容と、入賞領域を通過した遊技玉数とから、付与すべき賞玉数を決定し、決定した賞玉数の払出処理を行うことができる。また、打ち込んだ遊技玉は、入賞領域を通過したか否かにかかわらず、最終的に遊技盤面裏側から遊技機外部に排出される。遊技機外部に排出された遊技玉は、遊技機ごとに付設されたアウト玉検出装置によって検出されるようになっている。
【００３４】
台間カード処理機１０は、入金の受付、遊技玉の貸し出し、カード管理装置４０との通信を行う。台間カード処理機１０は、遊技客により投入された紙幣を受け付けたならば、この紙幣の金額を含む入金通知データをカード管理装置４０に送信し、カード管理装置４０が管理するプリペイド価値に金額に応じた数を加算させる。そして、所定の玉貸操作がなされたならば、玉貸要求をカード管理装置４０に送信し、カード管理装置４０が管理するプリペイド価値を減算させて、減算されたプリペイド価値に対応する数の遊技玉の払出処理を行う。
【００３５】
また、台間カード処理機１０は、カードの挿入を受け付けたならば、カード管理装置４０にカード挿入通知データを送信する。また、台間カード処理機１０は、カード管理装置４０からプリペイド価値、持玉数、貯玉数を含むデータを受信したならば、受信したプリペイド価値、持玉数、貯玉数を記憶する。そして、持玉数を記憶したならば、台間カード処理機１０は、カード管理装置４０に対して持玉減算要求データを送信することで、カード管理装置４０が管理する持玉数をゼロにクリアする。
【００３６】
また、台間カード処理機１０は、持玉再プレイ操作を受け付けると、自装置に記憶した持玉数から所定数を減算し、減算した持玉数に対応する数の遊技玉の払出処理を行う。また、台間カード処理機１０は、貯玉再プレイ操作を受け付けると、カード管理装置４０に対して貯玉再プレイ要求データを送信することで、会員管理装置５０が管理する貯玉数から所定数を減算させ、減算させた貯玉数に対応する数の遊技玉の払出処理を行う。
【００３７】
また、台間カード処理機１０は、カード返却操作を受け付けたならば、自装置が管理する持玉数を含む持玉加算要求データをカード管理装置４０に送信し、カード管理装置４０に持玉数を加算させた後、カード排出通知データをカード管理装置４０に送信し、カードを排出制御する。
【００３８】
島コントローラ３０は、遊技島に設けられた一群の遊技機２０及び台間カード処理機１０を束ねる中継装置である。
【００３９】
カード管理装置４０は、カードのプリペイド価値及び持玉数等をカードデータとして管理する装置である。カード管理装置４０は、台間カード処理機１０からカード挿入通知データを受信したならば、挿入されたカードのカードＩＤと台間カード処理機１０の装置ＩＤとを関連づけて管理し、該カードＩＤに関連づけられたプリペイド価値及び持玉数を台間カード処理機１０に送信する。また、カード挿入通知データに示されたカードＩＤが会員カードのカードＩＤである場合には、カード管理装置４０は、カード挿入通知データを会員管理装置５０に送信し、会員管理装置５０から受信した貯玉再プレイデータを台間カード処理機１０に送信する。
【００４０】
また、カード管理装置４０は、台間カード処理機１０から持玉減算要求データを受信した場合には、持玉数をゼロにクリアする。また、カード管理装置４０は、台間カード処理機１０から持玉加算要求データを受信した場合には、持玉加算要求データに含まれる持玉数をカード管理装置４０が管理する持玉数に加算する。
【００４１】
また、カード管理装置４０は、台間カード処理機１０から玉貸要求データを受信したならば、カードＩＤに関連付けられたプリペイド価値を所定値減算し、玉貸許可データを台間カード処理機１０に送信する。そして、貯玉再プレイ要求データを受信したならば、該貯玉再プレイ要求データを会員管理装置５０に送信し、会員管理装置５０が貯玉再プレイデータを出力したならば、貯玉再プレイデータを台間カード処理機１０に送信する。
【００４２】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤに関連付けられたプリペイド価値を精算機８０に対して通知する。
【００４３】
会員管理装置５０は、遊技店に会員登録された会員の会員管理データを管理する管理装置である。具体的には、会員に対して発行した会員カードＩＤに関連付けて、貯玉数、ポイント数、暗証番号及び氏名等を管理する。
【００４４】
会員管理装置５０は、台間カード処理機１０からカード挿入通知データを受信したならば、カード挿入通知データに示されたカードＩＤに関連付けられた貯玉数及び暗証番号を含む貯玉再プレイデータを台間カード処理機１０に送信する。また、会員管理装置５０は、台間カード処理機１０から貯玉再プレイ要求データを受信したならば、貯玉再プレイ要求データに示されたカードＩＤに関連づけられた貯玉数から所定数を減算し、減算後の貯玉数を含む貯玉再プレイデータを台間カード処理機１０に送信する。なお、台間カード処理機１０と会員管理装置５０との通信は、カード管理装置４０を介して行なわれる。
【００４５】
さらに、会員管理装置５０は、台間カード処理機１０に対する会員カードの挿入履歴に基づいて遊技客の来店履歴を管理する処理を行う。
【００４６】
また、会員管理装置５０は、賞品管理装置６０から貯玉数の問い合わせを受けたならば、指定されたカードＩＤに対応する貯玉数を賞品管理装置６０に通知する。
【００４７】
賞品管理装置６０は、遊技店内の賞品交換カウンタに併設された賞品交換用の端末装置であり獲得玉、貯玉数及び持玉数を賞品に交換する賞品交換処理を行う。この賞品管理装置６０には、カードからカードＩＤを読み取るカードリーダ及び賞品を払い出す賞品払出装置が接続されている。賞品管理装置６０は、一般カード又会員カードからカードＩＤを読み出した場合（若しくは、携帯端末等からカードＩＤに対応する識別データを読み出した場合）には、カードＩＤをカード管理装置４０に送信して、該カードＩＤの持玉数を要求する。また、貯玉数を賞品交換する場合は、会員管理装置５０に対して貯玉数を要求する。
【００４８】
精算機８０は、プリペイド価値が関連付けられたカードが挿入されると、このカードのカードＩＤをカード管理装置４０に送信し、その応答データを受信することにより、カードに関連付けられたプリペイド価値を取得し、取得したプリペイド価値に応じて貨幣を払い出す。
【００４９】
次に、図２に示した遊技システムの玉貸処理について説明する。遊技客が台間カード処理機１０に対して玉貸操作を行うと、台間カード処理機１０は、カード管理装置４０に玉貸要求データを送信する。この玉貸要求データは、台間カード処理機１０に挿入されているカードのカードＩＤと、送信元である台間カード処理機１０を特定するアドレス若しくは任意の識別データを含む。
【００５０】
カード管理装置４０は、玉貸要求データを受信すると、玉貸要求データのカードＩＤに関連付けられたプリペイド価値から所定値を減算する。そして、カード管理装置４０は玉貸許可データを送信元の台間カード処理機１０に送信する。玉貸許可データを受信した台間カード処理機１０は、減算したプリペイド価値に対応する遊技玉数の払出処理を行う。
【００５１】
次に、図２に示した遊技システムで持玉の再プレイを行う場合の持玉再プレイ処理について説明する。台間カード処理機１０は、一般カードあるいは会員カードの挿入を受け付けたならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。レートを特定するためのデータとは、レート自体を指定するデータに限らず、レートの順序（複数設定可能なレートのうち何番目のレートであるか）やデータの格納場所を示すデータであってもよい。
【００５２】
カード管理装置４０は、台間カード処理機１０からカード挿入通知データを受信したならば、該カード挿入通知データ内のカードＩＤに関連付けられた各レートの持玉数を台間カード処理機１０に通知する。
【００５３】
台間カード処理機１０は、カード管理装置４０から受信した持玉数を記憶する。そして、カードＩＤ、レートを特定するデータ及び持玉数をゼロクリアする旨を示す持玉減算要求データをカード管理装置４０に送信する。カード管理装置４０は、持玉減算要求データを受信したならば、カードＩＤにより特定される各レートの持玉数をゼロクリアする。また、台間カード処理機１０は、持玉再プレイ操作を受け付けて持玉再プレイを行う場合には、記憶した持玉数から所定数を減算し、対応する遊技玉数の払出処理を行う。払出処理を行う場合、遊技機が払出可能な単位（例えば２５玉）の倍数については、遊技機に払出指示を送信することにより払出処理を行い、残りについては自機のノズルユニット１８ａから払出すことにより払出処理を行う。
【００５４】
台間カード処理機１０は、カード返却操作を受け付けたならば、カード管理装置４０に対して持玉加算要求データを送信する。この持玉加算要求データは、カード返却の対象となるカードのカードＩＤと、送信元である台間カード処理機１０を特定するアドレス若しくは任意の識別データと、各レートの持玉数とを含む。
【００５５】
カード管理装置４０は、持玉加算要求データを受け付けたならば、カードＩＤに関連付けられた各レートの持玉数に持玉加算要求データに含まれる持玉数を加算する。その後、台間カード処理機１０は、カード管理装置４０にカード排出通知データを送信し、カードを排出制御する。
【００５６】
次に、図２に示した遊技システムでの貯玉再プレイ処理について説明する。台間カード処理機１０は、会員カード又は会員カードとして使用可能な携帯端末からカードＩＤを読み取ったならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。レートを特定するためのデータとは、レート自体を指定するデータに限らず、レートの順序（複数設定可能なレートのうち何番目のレートであるか）やデータの格納場所を示すデータであってもよい。
【００５７】
カード管理装置４０は、台間カード処理機１０から受信したカード挿入通知データを会員管理装置５０に送信する。会員管理装置５０は、カード挿入通知データを受信したならば、該カード挿入通知データ内のカードＩＤに関連付けられた暗証番号と、貯玉のうち、該カード挿入通知データにより特定されたレートの貯玉数と、貯玉再プレイの可能数を含む貯玉再プレイデータを台間カード処理機１０に送信する。貯玉再プレイの可能数は、貯玉再プレイを行うことのできる玉数を示す。この貯玉再プレイの可能数は、貯玉再プレイにおける遊技玉の払出単位数の倍数である。貯玉再プレイに上限が設定されていれば、貯玉数と上限の範囲内で最大の値が貯玉再プレイの可能数となる。なお、貯玉再プレイの可能数の代わりに貯玉再プレイが可能な回数を貯玉再プレイ度数として用いてもよい。貯玉再プレイ度数は、貯玉再プレイにおける遊技玉の払出単位数で貯玉数を除算した商にあたる。ただし、貯玉再プレイに上限が設定されている場合には、この上限により貯玉再プレイ度数は制限される。
【００５８】
台間カード処理機１０は、受信した貯玉再プレイデータを記憶し、貯玉再プレイデータに示された貯玉再プレイの可能回数が１回以上、もしくは貯玉再プレイの可能数が１回の再プレイ単位数以上である場合には貯玉再プレイ操作を受け付け可能とする。
【００５９】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するか否かを判定する。
【００６０】
台間カード処理機１０は、暗証番号が一致した場合に、カード管理装置４０に貯玉再プレイ要求データを送信する。この貯玉再プレイ要求データは、台間カード処理機１０に挿入されているカードのカードＩＤと、送信元である台間カード処理機１０を特定するアドレス若しくは任意の識別データと、台間カード処理機１０のレートを特定するためのデータとを含む。レートを特定するためのデータとは、レート自体を指定するデータに限らず、レートの順序（複数設定可能なレートのうち何番目のレートであるか）やデータの格納場所を示すデータであってもよい。
【００６１】
カード管理装置４０は、貯玉再プレイ要求データを会員管理装置５０に送信する。会員管理装置５０は、貯玉再プレイ要求データを受信したならば、該貯玉再プレイ要求データ内のカードＩＤに関連付けられた貯玉のうち、該電文により特定されたレートの貯玉の残高を所定値減算し、貯玉再プレイの可能数を再計算する。そして、減算後の残高と貯玉再プレイの可能数とを含む貯玉再プレイデータを台間カード処理機１０に送信する。
【００６２】
台間カード処理機１０は、記憶する貯玉数を更新し、貯玉再プレイの払出単位数分の遊技玉数の払出処理を行う。また、更新後の貯玉再プレイの可能回数が１回以上（もしくは貯玉再プレイの可能数が１回の再プレイ単位数以上）であるかを判定する。貯玉再プレイの可能数が０であれば、貯玉再プレイ操作を受付不可とする。更新後の貯玉再プレイの可能数が１以上であれば（もしくは貯玉再プレイの可能数が１回の再プレイ単位数以上）、再度貯玉再プレイ操作を受付可能とする。２回目以降の貯玉再プレイでは、暗証番号の確認は不要である。なお、暗証番号の確認を毎回行うようにしてもよい。また、ここでは会員管理装置５０が貯玉の残高を減算した後、台間カード処理機１０が遊技玉の払出処理を行う場合を例示したが、貯玉再プレイ要求に基づいて遊技玉の払出処理を行った後に、貯玉の残高を減算してもよい。貯玉再プレイ要求前の貯玉再プレイデータに、貯玉再プレイの可能数が示されており、貯玉再プレイ要求を受け付けた後に残高不足が判明する事態とはならないためである。
【００６３】
次に、閉店処理における持玉からの貯玉への移行について説明する。カード管理装置４０は、閉店処理時にカード管理データの持玉数を確認し、ゼロより大きい持玉数が関連付けられたレコードが存在する場合には、該レコードの持玉数をカードＩＤ及びレートとともに会員管理装置５０に通知する。会員管理装置５０は、カードＩＤ及びレートにより特定される貯玉数にカード管理装置４０から通知された持玉数を加算する。その後、カード管理装置４０は、該持玉数をゼロクリアする。
【００６４】
次に、図２に示した台間カード処理機１０の外観について説明する。図３は、台間カード処理機１０の外観を示す図である。なお、図３には、遊技機２０に接続された台間カード処理機１０の外観を台間カード処理機１０として示している。また、併設される遊技機２０は、破線で図示している。また、図３では、紙幣のみを受け付ける台間カード処理機１０を図示したが、硬貨受付用のユニットを設けることもできる。
【００６５】
図３に示すように台間カード処理機１０は、状態表示部１１、紙幣挿入口１２ａ、表示操作部１３、カード挿入口１４ａ、かざし部１４ｂ、ノズルユニット１８ａ及び計数ユニット１８ｂを有する。
【００６６】
状態表示部１１は、例えば多色ＬＥＤ等で構成され、台間カード処理機１０の装置の状態を所定色のランプの点灯あるいは点滅で表示する。紙幣挿入口１２ａは、遊技玉の貸出に必要な各種紙幣の挿入口である。表示操作部１３は、例えばフルカラーのタッチパネル式の液晶ディスプレイ等で構成され、操作ボタンの表示や操作ボタンによる入力操作を受け付けるデバイスである。
【００６７】
カード挿入口１４ａは、遊技客の所持するカードの挿入口である。かざし部１４ｂは、会員登録に用いられた携帯端末をかざす部位であり、かざし部１４ｂに携帯端末がかざされると、携帯端末から携帯端末の固有ＩＤ（例えばＩＤｍ）等のデータが読み取られる。ノズルユニット１８ａは、遊技玉を遊技機２０に投出する機構である。計数ユニット１８ｂは、遊技機２０の下皿から落下させた遊技玉を計数する機構である。
【００６８】
次に、図２に示した台間カード処理機１０の構成について説明する。図４は、図２に示した台間カード処理機１０の構成を示す機能ブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００６９】
紙幣搬送部１２は、紙幣挿入口１２ａから挿入された紙幣の金種及び真偽を判別しつつ図示しない紙幣収納部に搬送する搬送部である。表示操作部１３は、玉貸に使用可能なプリペイド価値、持玉数、貯玉数等の各種情報の表示と、玉貸操作等の各種操作の受付を行なうタッチパネル式の液晶ディスプレイ等の入出力装置である。
【００７０】
リーダライタ１４は、カード挿入口１４ａに挿入されたカードからカードＩＤを読み取る装置である。なお、カード挿入口１４ａに挿入されたカードは、このリーダライタ１４を経て図示しないカード収納部に収納される。かざし部１４ｂは、携帯端末等がかざされた場合に、近距離無線通信により携帯端末の固有ＩＤ（例えばＩＤｍ）等の各種情報を読み取るインタフェース部である。また、リーダライタ１４は、遊技客の返却操作に応じて、カード収納部に収納されたカードにカードデータ１６ｂに示される持玉やプリペイド価値等の価値データを関連付けて新たなカードとして発行する機能も有している。ただし、カードデータ１６ｂに示されるプリペイド価値が０であって、持玉数が一定数（最低保持個数）に満たない場合には、返却操作があってもカードを返却しないように制御する。これは、少量の持玉を関連付けたカードが破棄されることにより、遊技店に損失が生じるのを抑止するための制御である。一定数としては、例えば持玉数に玉１個あたりの貸出単価を乗算した値がカードの価額あるいは遊技店内の最低価格の賞品となるように設定することができるが、これに限らず、遊技店の方針によって自由に設定できる。また、返却操作があってもカードを返却しないように制御する場合に、記憶している持玉を払出処理することもできるが、カードが返却できない旨と持玉の再プレイを促す表示を行ってもよい。
【００７１】
通信部１５は、遊技機２０及び島コントローラ３０との間のデータ通信を行なうためのインタフェース部である。ノズルユニット１８ａは、玉貸又は再プレイにより遊技玉を払い出す際に、その一部又は全ての払い出しに使用される。計数ユニット１８ｂは、遊技玉を計数するユニットである。
【００７２】
記憶部１６は、ハードディスク装置や不揮発性メモリ等からなる記憶デバイスである。記憶部１６は、自装置状態データ１６ａ及びカードデータ１６ｂを記憶する。
【００７３】
自装置状態データ１６ａは、台間カード処理機１０の状態を示すデータである。この自装置状態データ１６ａには、台間カード処理機の装置ＩＤと、遊技設定とを含む。台間カード処理機の装置ＩＤは、台間カード処理機１０を遊技店内で一意に識別するための識別データである。遊技設定は、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」というように、レート毎に遊技種名を設定して管理する。台間カード処理機１０は、これらの遊技種から遊技に使用するレートを選択して、遊技設定として記憶する。
【００７４】
カードデータ１６ｂは、遊技客が使用中のカードに係るデータである。カードデータ１６ｂは、カードＩＤ、プリペイド価値、持玉、貯玉、貯玉再プレイの可能数等を含む。持玉、貯玉については、遊技種（レート）ごとにデータが存在する。カードＩＤは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードデータ１６ｂが更新される。また、カード挿入口１４ａから図示しないカード収納部にカードが搬送される場合にも、この搬送途中でリーダライタ１４により読み取られたカードＩＤによってカードデータ１６ｂが更新される。
【００７５】
制御部１７は、台間カード処理機１０の全体を制御する制御部であり、データ管理部１７ａ及び計数処理部１７ｂを有する。データ管理部１７ａは、カードが挿入された場合に、自装置状態データ１６ａの装置ＩＤと、カードデータ１６ｂのカードＩＤとを含むカード挿入通知データを管理装置４０に送信する。また、データ管理部１７ａは、管理装置４０から価値データ（プリペイド価値、持玉数及び貯玉数の少なくともいずれか）を含むデータを受信した場合に、受信した価値データによりカードデータ１６ｂを更新する。データ管理部１７ａは、カードデータ１６ｂに示されたプリペイド価値、持玉数及び貯玉数を適宜表示操作部１３に表示制御する。
【００７６】
また、データ管理部１７ａは、紙幣挿入口１２ａに紙幣が挿入されると、挿入された紙幣の金額、カードＩＤ及び台間カード処理機ＩＤを含む入金通知データを管理装置４０に送信する。
【００７７】
また、データ管理部１７ａは、遊技客により玉貸操作が行なわれた場合に、カードＩＤ及び装置ＩＤを含む玉貸要求データを管理装置４０に送信する。この玉貸要求データへの応答として玉貸許可データを受信したならば、データ管理部１７ａは、所定数の遊技玉の払出処理を行う。
【００７８】
また、データ管理部１７ａは、遊技客により持玉再プレイ操作が行なわれた場合に、カードデータ１６ｂに示された持玉数から所定数を減算し、対応する数の遊技玉の払出処理を行う。
【００７９】
また、データ管理部１７ａは、カードデータ１６ｂに示された貯玉再プレイの可能回数が１回以上、もしくは貯玉再プレイの可能数が１回の再プレイ単位数以上である場合には、表示操作部１３に貯玉再プレイボタンを表示し、貯玉再プレイ操作を受付可能とする。データ管理部１７ａは、遊技客により貯玉再プレイ操作が行なわれた場合に、カードＩＤ及び台間カード処理機ＩＤを含む貯玉再プレイ要求データを管理装置４０に送信する。この貯玉再プレイ要求データへの応答として貯玉再プレイデータを受信したならば、カードデータ１６ｂの貯玉数を更新し、貯玉再プレイの払出単位数の遊技玉の払出処理を行う。なお、初回の貯玉再プレイ操作時には、暗証番号の入力を求め、カードデータ１６ｂに示された暗証番号と一致することを条件に貯玉再プレイ要求データを送信する。
【００８０】
また、データ管理部１７ａは、遊技客によりカード返却操作が行なわれた場合に、カードＩＤ、装置ＩＤ並びに持玉数を含む持玉加算要求データを管理装置４０に送信して、カードデータ１６ｂの持玉数をゼロにクリアした後、カード排出通知データを管理装置４０に送信し、カードを排出する。
【００８１】
計数処理部１７ｂは、計数ユニット１８ｂに遊技玉が投入された場合に、計数ユニット１８ｂに遊技玉の計数を行わせ、計数結果をカードデータ１６ｂの持玉数に加算する処理を行う。
【００８２】
次に、台間カード処理機１０の記憶部１６に記憶されるデータの一例について説明する。図５は、台間カード処理機１０の記憶部１６に記憶されるデータの一例を説明するための説明図である。
【００８３】
図５（ａ）に示す自装置状態データ１６ａは、台間カード処理機１０のＩＤが「３００１」であり、台間カード処理機１０の遊技種として「玉１」が設定された状態を示している。
【００８４】
図５（ｂ）に示すカードデータ１６ｂは、台間カード処理機１０に挿入されたカードのＩＤが「２００２」である状態を示している。なお、ここでは、カードＩＤの上１桁がカードの種別を示しており、上１桁が「１」のカードが一般カード、上１桁が「２」のカードが会員カードである。また、カードデータ１６ｂは、プリペイド価値が「２０００度数」である状態を示している。なお、ここではプリペイド価値の度数とは１度数が１円相当である。また、カードデータ１６ｂは、玉１の持玉数が「３７５玉」であり、玉２の持玉数が「５００玉」であり、玉３の持玉数が「２０００玉」である状態を示している。
【００８５】
また、カードデータ１６ｂは、貯玉再プレイ用の暗証番号が「７７７７」であり、貯玉再プレイの可能数が「２５０玉」であり、玉１の貯玉数が「２５０玉」であり、玉２の貯玉数が「１０００玉」であり、玉３の貯玉数が「４０００玉」である状態を示している。なお、ここでは再プレイが可能な玉数を再プレイの可能数として格納する構成を示したが、再プレイの可能な回数を再プレイ度数として格納してもよい。また、再プレイの可能数や再プレイ度数はレート別に管理してもよい。また、図示していないが、カード管理装置４０では、カードＩＤに対応付けて、持玉、貯玉、プリペイド価値以外にカードの有効/無効を示す「ロック」フラグのＯＮ/ＯＦＦも記憶しており、カードの盗難が発覚した場合に従業員操作によってＯＮにされる。これらのデータもカードデータ１６ｂに含まれて記憶されている。さらに、この「ロック」フラグは機能（「貯玉使用」、「乗入」等）別にも設定できるようになっており、例えば遊技客の要望により「乗入」の機能だけを「ロック」の対象として、誤操作を防ぐことに用いることもできる。なお、本明細書中で「乗入」とは、あるレートの遊技媒体数を他のレートの遊技媒体数に遊技媒体の単価の比率に基づいて換算して使用することを意味する。具体的な例では、４円レートに対応付けられた台間カード処理機１０において、１円レートの玉数Ｘを使用して、Ｘ×（１円／４円）＝Ｘ／４の玉数を払出処理することが例示できる。この「乗入」の機能は、店舗の運営方針により会員管理装置５０で有効／無効を切り替えることができる。
【００８６】
次に、図２に示した会員管理装置５０の内部構成について説明する。図６は、図２に示した会員管理装置５０の構成を示す機能ブロック図である。同図に示すように、会員管理装置５０は、表示部５１及び入力部５２と接続される。表示部５１は、液晶パネルやディスプレイ装置等であり、入力部５２は、キーボードやマウス等である。
【００８７】
また、会員管理装置５０は、外部ネットワーク通信部５３と、店舗ネットワーク通信部５４と、記憶部５５と、制御部５６とを有する。外部ネットワーク通信部５３は、遊技店外のネットワークを介してデータ通信するためのインタフェース部である。店舗ネットワーク通信部５４は、遊技店内の通信回線を介して賞品管理装置６０及びカード管理装置４０等とデータ通信するためのインタフェース部である。
【００８８】
記憶部５５は、ハードディスク装置や不揮発性メモリ等の記憶デバイスであり、会員管理データ５５ａ、遊技種設定データ５５ｂ、賞品マスタ５５ｃ及び来店履歴データ５５ｄを記憶する。会員管理データ５５ａは、会員に対して発行した会員カードのカードＩＤに対し、氏名、貯玉、携帯ＩＤｍ、住所、電話番号等を関連付けたデータである。
【００８９】
遊技種設定データ５５ｂは、遊技種に対してレート及び表示名を関連付けたデータである。賞品マスタ５５ｃは、遊技玉を賞品に交換する際に使用するデータである。来店履歴データ５５ｄは、会員カードの挿入と排出に係る履歴を示すデータである。
【００９０】
制御部５６は、会員管理装置５０を全体制御する制御部であり、会員管理部５６ａ、賞品マスタ管理部５６ｂ、来店履歴管理部５６ｃ、検出部５６ｄ、報知出力部５６ｅ及び来店ポイント付与部５６ｆを有する。実際には、これらの機能部に対応するプログラムを図示しないＲＯＭや不揮発性メモリに記憶しておき、これらのプログラムをＣＰＵ（Central Processing Unit）にロードして実行することにより、会員管理部５６ａ、賞品マスタ管理部５６ｂ、来店履歴管理部５６ｃ、検出部５６ｄ、報知出力部５６ｅ及び来店ポイント付与部５６ｆにそれぞれ対応するプロセスを実行させることになる。
【００９１】
会員管理部５６ａは、会員管理データ５５ａの管理を行う処理部である。会員管理部５６ａは、カード管理装置４０及び賞品管理装置６０と通信して、カードＩＤに関連付けられた貯玉の残高を更新する。また、会員管理部５６ａは、会員登録要求を受け付けた場合には、会員管理データ５５ａに会員を追加する更新を行う。
【００９２】
ここで、会員管理部５６ａによる貯玉再プレイ処理について説明する。会員管理部５６ａは、台間カード処理機１０から通常の貯玉再プレイ要求データを受信したならば、該貯玉再プレイ要求データ内のカードＩＤに関連付けられた貯玉のうち、払出先のレートの貯玉の残高を払出単位数だけ引落し、貯玉再プレイの可能数を再計算する。そして、減算後の残高と貯玉再プレイの可能数とを含む貯玉再プレイデータを台間カード処理機１０に送信する。
【００９３】
賞品マスタ管理部５６ｂは、賞品マスタ５５ｃを管理する処理部である。賞品マスタ管理部５６ｂは、賞品マスタ５５ｃの更新が行われたならば、遊技店内の賞品管理装置６０に賞品マスタ５５ｃを配布する。
【００９４】
来店履歴管理部５６ｃは、会員遊技客の来店履歴を管理する処理部である。具体的には、来店履歴管理部５６ｃは、台間カード処理機１０が会員カードの挿入を受け付けた場合に、日時及びカードＩＤに処理「挿入」と台間カード処理機１０の装置ＩＤとを対応付けて来店履歴データ５５ｄに追加する。また、台間カード処理機１０が会員カードを排出した場合に、日時及びカードＩＤに処理「排出」と台間カード処理機１０の装置ＩＤとを対応付けて来店履歴データ５５ｄに追加する。かかる来店履歴データ５５ｄの追加により、来店履歴データ５５ｄは、会員カードの挿入と排出に係る履歴を示すことになる。
【００９５】
検出部５６ｄは、来店履歴データ５５ｄに基づいて、同一の遊技客による複数の会員カードの使用を検出する処理部である。具体的には、検出部５６ｄは、会員カードの排出から他の会員カードの挿入までが所定時間以内である場合に、同一の遊技客が双方の会員カードを使用した可能性があると判定する。
【００９６】
さらに、検出部５６ｄは、同一の遊技客により使用された可能性がある会員カードの組み合わせを来店履歴データ５５ｄから抽出し、同一の会員カードの組み合わせが所定数以上である場合に、この会員カードの組み合わせが同一の遊技客により使用されたと判定する。
【００９７】
また、検出部５６ｄは、会員カードの挿入から排出までの時間が所定時間以内である場合に、当該会員カードが他の会員カードと同一の遊技客により使用されたと判定することも可能である。なお、会員カードの挿入から排出までの時間を評価するための所定時間と、会員カードの排出から他の会員カードの挿入までの時間を評価するための所定時間とは、異なる値とすることができる。
【００９８】
さらに、検出部５６ｄは、会員カードの挿入から排出までの間に、当該会員カードに関連付けられる価値（プリペイド価値、持玉、貯玉）に変化がないことを条件に、当該会員カードが他の会員カードと同一の遊技客により使用されたと判定してもよい。すなわち、会員カードを挿入されたが、プリペイド価値、持玉、貯玉のいずれについても増減がないまま排出された場合に、当該会員カードは他の会員カードと同じ遊技客により使用された可能性があると判定するのである。
【００９９】
また、検出部５６ｄは、いずれかの台間カード処理機１０に挿入されたにも関わらず、同日の営業時間中に当該会員カードに関連付けられる価値（プリペイド価値、持玉、貯玉）に変化がなかった会員カード、すなわち、挿入されたが遊技に使用されていない会員カードについて他の会員カードと同じ遊技客により使用された可能性があると判定することもできる。このように、当日の営業時間を通して遊技に未使用であることを条件として判定を行えば、同一の遊技客により使用された可能性がある会員カードを判定する際に、ある台間カード処理機１０で挿入のみ行われたが、他の台間カード処理機１０で適正に使用された会員カードを除外することが可能である。
【０１００】
検出部５６ｄは、排出から他の会員カードの挿入までの時間と、挿入から排出までの時間と、挿入中の価値の増減とを組み合わせて、同一の遊技客により複数の会員カードが使用されたか否かを判定することができる。
【０１０１】
なお、検出の条件は適宜詳細に設定が可能である。例えば、会員カードの排出から他の会員カードの挿入までが所定時間以内であっても、プリペイド価値の利用がある会員カードは同一の遊技客により使用されたと判定しないよう除外してもよい。また、例えば、それぞれの遊技台でのアウト玉（遊技客が遊技機２０にて使用した遊技媒体数）やセーフ玉（遊技客が遊技機２０にて獲得した遊技媒体数）などの状況から遊技店内が混雑している混雑状態が判定される場合であれば、会員カードの排出から他の会員カードの挿入までが所定時間以内であっても同一の遊技客により使用されたと判定しないよう除外することとしてもよい。また、この混雑状態の判定は遊技島や予め設定されたグループごとに行ってもよい。
【０１０２】
報知出力部５６ｅは、検出部５６ｅによって同一の遊技客に使用されたと判定した会員カードの組み合わせを遊技店員に対して報知する出力を行う処理部である。この報知は、同一の遊技客が使用した会員カードの組み合わせの一覧を出力することで行う。また、複数の会員カードを使用した遊技客の来店を検出した場合に、遊技店員に対して報知することとしてもよい。
【０１０３】
来店ポイント付与部５６ｆは、会員カードのカードＩＤに対して来店ポイントを付与する処理部である。具体的には、来店ポイント付与部５６ｆは、会員カードが当日初めて挿入された場合に、会員管理データ５５ａの来店ポイントに所定値を加算することで来店ポイントの付与を行う。このように、来店日毎に付与されることで蓄積した来店ポイントは、賞品などに交換することができる。なお、同一の遊技客により他の会員カードとともに使用された可能性のある会員カードの来店ポイントと賞品との交換を求められた場合に、遊技店員に対して報知を行うこととしてもよい。
【０１０４】
さらに、来店ポイント付与部５６ｆは、同一の遊技客により他の会員カードとともに使用された可能性のある会員カードについては、来店ポイントの付与を抑制することもできる。付与が抑制された来店ポイントについては、保留ポイントとして別途記憶しておき、会員カードの使用が適正であったと判明した場合には保留ポイントを来店ポイントに加算可能とすることが好ましい。
【０１０５】
次に、図６に示した記憶部５５が記憶するデータの具体例について説明する。図７〜図８は、記憶部５５に記憶されるデータの一例を説明するための説明図である。図７（ａ）に示す会員管理データ５５ａは、カードＩＤ「２００２」に対して、氏名「Ｂ  Ｃ」、各遊技種の貯玉の残高、携帯ＩＤｍ「ＩＤｍＸ１」、来店ポイント「１２０」等が対応づけられた状態を示している。なお、図示は省略したが会員管理データ５５ａは、来店回数、遊技履歴、暗証番号等をカードＩＤに対応付けることができる。また、携帯ＩＤｍは、携帯電話等の携帯端末を特定可能な識別データであり、携帯端末を会員カードとして使用する際に用いられる。
【０１０６】
また、図７（ａ）では、貯玉は、「玉１」、「玉２」及び「玉３」の３つの遊技種について設けられている。例えば、カードＩＤ「２００２」の「玉１」の貯玉の残高は「２５０」、「玉２」の貯玉の残高は「１０００」、「玉３」の貯玉の残高は「４０００」である。
【０１０７】
図７（ｂ）に示す遊技種設定データ５５ｂは、遊技種名「玉１」に対し、レート「４円」及び表示名「４パチ」を関連付けている。また、遊技種設定データ５５ｂは、遊技種名「玉２」に対し、レート「２円」及び表示名「２パチ」を関連付けている。また、遊技種設定データ５５ｂは、遊技種名「玉３」に対し、レート「１円」及び表示名「１パチ」を関連付けている。
【０１０８】
図７（ｃ）に示す賞品マスタ５５ｃは、賞品を一意に識別する賞品コードに対し、賞品名、群コード、賞品価値及び交換玉数を関連付けたデータである。ここで、群コードは賞品を分類して管理する為の識別情報である。群コード「０１」は、一定の手続きを経て所定の価値で譲渡可能な交換賞品を示す。群コード「０２」以降は、交換賞品以外の日用品などを含む一般賞品である。
【０１０９】
賞品マスタ５５ｃは、賞品コード「０００１」に対し、賞品名「大賞品」、群コード「０１」、賞品価値「１０００」、玉１の交換玉数「２５０」、玉２の交換玉数「５００」、玉３の交換玉数「１０００」を関連付けている。
【０１１０】
また、賞品マスタ５５ｃは、賞品コード「０００２」に対し、賞品名「小賞品」、群コード「０１」、賞品価値「５００」、玉１の交換玉数「１２５」、玉２の交換玉数「２５０」、玉３の交換玉数「５００」を関連付けている。
【０１１１】
また、賞品マスタ５５ｃは、賞品コード「０１００」に対し、賞品名「Ｍセブン」、群コード「０２」、賞品価値「４００」、玉１の交換玉数「１００」、玉２の交換玉数「２００」、玉３の交換玉数「４００」を関連付けている。
【０１１２】
また、賞品マスタ５５ｃは、賞品コード「０１０１」に対し、賞品名「ラック」、群コード「０２」、賞品価値「４２０」、玉１の交換玉数「１０５」、玉２の交換玉数「２１０」、玉３の交換玉数「４２０」を関連付けている。
【０１１３】
また、賞品マスタ５５ｃは、賞品コード「０６００」に対し、賞品名「端玉  飴」、群コード「０４」、賞品価値「１２」、玉１の交換玉数「３」、玉２の交換玉数「６」、玉３の交換玉数「１２」を関連付けている。
【０１１４】
図８（ｄ）に示す来店履歴データ５５は、日時「７／１  １０：００：００」にカードＩＤ「２００１」、処理「挿入」及び装置ＩＤ「３００１」を関連付けた状態を示している。また、来店履歴データ５５は、日時「７／１  １０：００：１０」にカードＩＤ「２００１」、処理「排出」及び装置ＩＤ「３００１」を関連付けた状態を示している。また、来店履歴データ５５は、日時「７／１  １０：００：１１」にカードＩＤ「２００２」、処理「挿入」及び装置ＩＤ「３００１」を関連付けた状態を示している。
【０１１５】
次に、来店履歴の生成について説明する。図９は、来店履歴の生成についての説明図である。図９に示すように、台間カード処理機１０がカードＩＤ「２００１」の会員カードの挿入を受け付けると（ステップＳ１０１）、台間カード処理機１０は、カードＩＤ「２００１」のカード挿入通知をカード管理装置４０に送信する。カード管理装置４０は、台間カード処理機１０から受信したカードＩＤ「２００１」のカード挿入通知を会員管理装置５０に転送する。
【０１１６】
会員管理装置５０の来店履歴管理部５６ｃは、カード管理装置４０からカード挿入通知を受信して、来店履歴データ５５ｄを更新する（ステップＳ１１１）。また、来店ポイント付与部５６ｆは、カードＩＤ「２００１」に対して来店ポイントを付与する（ステップＳ１１２）。
【０１１７】
その後、来店ポイント付与部５６ｆは、来店ポイント付与通知を送信する。来店ポイント付与通知は、カード管理装置４０を介して台間カード処理機１０に受信される。台間カード処理機１０は、来店ポイントが付与されたことを表示操作部１３への表示などによって遊技客に報知する。
【０１１８】
台間カード処理機１０が遊技客による返却操作を受け付けると（ステップＳ１０２）、台間カード処理機１０は、カード排出通知をカード管理装置４０に送信する。カード管理装置４０は、台間カード処理機１０から受信したカード排出通知を会員管理装置５０に転送する。
【０１１９】
会員管理装置５０の来店履歴管理部５６ｃは、カード管理装置４０からカード排出通知を受信して、来店履歴データ５５ｄを更新し（ステップＳ１１３）、カード排出受付通知を送信する。カード排出受付通知は、カード管理装置４０を介して台間カード処理機１０に受信される。台間カード処理機１０は、カード排出受付通知を受信してカードの排出を行う（ステップＳ１０３）。
【０１２０】
さらに、台間カード処理機１０がカードＩＤ「２００２」の会員カードの挿入を受け付けると（ステップＳ１０４）、台間カード処理機１０は、カードＩＤ「２００２」のカード挿入通知をカード管理装置４０に送信する。カード管理装置４０は、台間カード処理機１０から受信したカードＩＤ「２００２」のカード挿入通知を会員管理装置５０に転送する。
【０１２１】
会員管理装置５０の来店履歴管理部５６ｃは、カード管理装置４０からカード挿入通知を受信して、来店履歴データ５５ｄを更新する（ステップＳ１１４）。また、来店ポイント付与部５６ｆは、カードＩＤ「２００２」に対して来店ポイントを付与する（ステップＳ１１５）。
【０１２２】
その後、来店ポイント付与部５６ｆは、来店ポイント付与通知を送信する。来店ポイント付与通知は、カード管理装置４０を介して台間カード処理機１０に受信される。台間カード処理機１０は、来店ポイントが付与されたことを表示操作部１３への表示などによって遊技客に報知する。遊技客は、その後、カードＩＤ「２００２」の会員カードを使用して遊技を行い、台間カード処理機１０は、貯玉再プレイなどの遊技処理を行う。
【０１２３】
このように、図９では、カードＩＤ「２００１」の会員カードは挿入後にすぐに排出され、その後、カードＩＤ「２００２」の会員カードが挿入されて遊技に用いられている。この状態では、カードＩＤ「２００１」の挿入（ステップＳ１１１）から排出（ステップＳ１１３）までの時間Ｔ１が短くなる。検出部５６ｄは、時間Ｔ１を所定の閾値と比較することで、カードＩＤ「２００１」が他の会員カードとともに使用された可能性があると判定することができる。ここで、判定に用いる閾値は、遊技店の管理者である店員の操作等により変更することができるとともに、個別の遊技台ごと、複数の遊技台からなるグループごと、および時間帯ごとに異なる値を設定することも可能である。例えば、個別の遊技台ごとに設定する場合は、台間カード処理機１０あるいは該台間カード処理機１０に対対応する遊技機２０を特定可能な情報（例えば台番号）に対応付けて閾値を設定管理することができる。また、複数の遊技台からなるグループごとに設定する場合は、複数の台間カード処理機１０あるいは該台間カード処理機１０に対対応する遊技機２０をグループ化したグループを特定可能な情報（例えば島番号）に対応付けて閾値を設定するか、グループに属する台間カード処理機１０あるいは該台間カード処理機１０に対対応する遊技機２０を特定可能な情報（例えば台番号）を複数一括して選択して該情報に対応付けて閾値を設定管理することができる。また、時間帯ごとに設定する場合には、営業中の時間帯を指定する情報に対応付けて閾値を設定管理することができる。さらに、これらの設定を複数併用することも可能である。このようにすることにより、遊技機の稼働度合や、店舗の込み具合などに応じて後述の抽出の有無を調整することが可能になる。
【０１２４】
また、図９に示した状態では、カードＩＤ「２００１」の排出（ステップＳ１１３）からカードＩＤ「２００２」の挿入（ステップＳ１１４）までの時間Ｔ２が短い。検出部５６ｄは、時間Ｔ２を所定の閾値と比較することで、カードＩＤ「２００１」とカードＩＤ「２００２」の会員カードが同一の遊技客により使用された可能性があると判定することができる。
【０１２５】
次に、会員管理装置５０による来店履歴にかかる処理手順について説明する。図１０は、会員管理装置５０による来店履歴にかかる処理手順を示すフローチャートである。まず、会員管理装置５０の来店履歴管理部５６ｃは、台間カード処理機１０における会員カードの挿入と排出に基づいて来店履歴を蓄積し、来店履歴データ５５ｄを更新する（ステップＳ２０１）。
【０１２６】
検出部５６ｄは、閉店後などの所定のタイミングで処理を開始し、来店履歴データ５５ｄから連続して挿入された会員カードの組み合わせ、すなわち、会員カードの排出から他の会員カードの挿入までが所定時間以内の会員カードの組み合わせを抽出する（ステップＳ２０２）。
【０１２７】
また、組み合わせを抽出するにあたり、上述の判定の閾値が異なるデータが含まれている場合には、これらを異なる閾値のまま抽出することも可能であるし、いずれかの値に統一して抽出すること、任意の値に指定しなおして抽出することも可能である。
【０１２８】
さらに、検出部５６ｄは、会員カードの同一の組み合わせの抽出数を算出し（ステップＳ２０３）、抽出数が閾値以上の組み合わせが存在するか否かを判定する（ステップＳ２０４）。
【０１２９】
抽出数が閾値以上の組み合わせが存在するならば（ステップＳ２０４；Ｙｅｓ）、複数カード使用への対処を実行し（ステップＳ２０５）、処理を終了する。複数カード使用への対処としては、報知出力部５６ｅによる報知出力を用いることができる。具体的には、報知出力部５６ｅは、該当する組み合わせを出力することで同一遊技客による複数カードの使用が発生していることを遊技店員に報知する出力を行う。抽出数が閾値以上の組み合わせが存在しなければ（ステップＳ２０４；Ｎｏ）、そのまま処理を終了する。
【０１３０】
次に、来店履歴の生成の変形例について説明する。図１１は、来店履歴の生成の変形例についての説明図である。図１１に示す変形例では、台間カード処理機１０がカードＩＤ「２００１」の会員カードの挿入を受け付けると（ステップＳ３０１）、台間カード処理機１０は、カードＩＤ「２００１」のカード挿入通知をカード管理装置４０に送信する。カード管理装置４０は、台間カード処理機１０から受信したカードＩＤ「２００１」のカード挿入通知を会員管理装置５０に転送する。
【０１３１】
会員管理装置５０の来店履歴管理部５６ｃは、カード管理装置４０からカード挿入通知を受信して、来店履歴データ５５ｄを更新する（ステップＳ３１１）。また、来店ポイント付与部５６ｆは、カードＩＤ「２００１」に対して来店ポイントを付与する（ステップＳ３１２）。
【０１３２】
その後、来店ポイント付与部５６ｆは、来店ポイント付与通知を送信する。来店ポイント付与通知は、カード管理装置４０を介して台間カード処理機１０に受信される。台間カード処理機１０は、来店ポイントが付与されたことを表示操作部１３への表示などによって遊技客に報知する。
【０１３３】
台間カード処理機１０が遊技客による返却操作を受け付けると（ステップＳ３０２）、台間カード処理機１０は、カード排出通知を受けて、カード排出受付通知を台間カード処理機１０に送信する。台間カード処理機１０は、カード排出受付通知を受信してカードの排出を行う（ステップＳ３０３）。すなわち、この変形例では、カード排出通知の会員管理装置５０への送信は行われない。
【０１３４】
台間カード処理機１０がカードＩＤ「２００２」の会員カードの挿入を受け付けると（ステップＳ３０４）、台間カード処理機１０は、連続判定を行う（ステップＳ３０５）。この連続判定では、前の会員カードの排出からの経過時間が所定時間以内であるか否かを判定し、所定時間以内であるならば「連続」、所定時間を超えていれば「非連続」と判定する。
【０１３５】
台間カード処理機１０は、カードＩＤ「２００２」のカード挿入通知をカード管理装置４０に送信する際に、連続判定の結果を付加する。このとき、判定結果が「連続」であるか「非連続」であるかを付加してもよいし、判定結果が「連続」である場合に「連続フラグ」を付加することとしてもよい。カード管理装置４０は、台間カード処理機１０から受信したカードＩＤ「２００２」のカード挿入通知と連続判定の結果を会員管理装置５０に転送する。
【０１３６】
会員管理装置５０の来店履歴管理部５６ｃは、カード管理装置４０からカード挿入通知を受信して、来店履歴データ５５ｄを更新する（ステップＳ３１３）。来店履歴データ５５ｄには、連続判定の結果も含める。また、来店ポイント付与部５６ｆは、カードＩＤ「２００２」に対して来店ポイントを付与する（ステップＳ３１４）。
【０１３７】
その後、来店ポイント付与部５６ｆは、来店ポイント付与通知を送信する。来店ポイント付与通知は、カード管理装置４０を介して台間カード処理機１０に受信される。台間カード処理機１０は、来店ポイントが付与されたことを表示操作部１３への表示などによって遊技客に報知する。遊技客は、その後、カードＩＤ「２００２」の会員カードを使用して遊技を行い、台間カード処理機１０は、貯玉再プレイなどの遊技処理を行う。
【０１３８】
図１１に示した変形例では、会員管理装置５０はカード排出通知を受信してカード排出受付通知を送信する必要がないため、システムの負荷を軽減できる。また、来店履歴データ５５ｄには、挿入の履歴のみが登録され、排出の履歴は登録されない。ただし、挿入の履歴に連続判定の結果が付加されるため、連続判定の結果を用いてカードＩＤ「２００１」とカードＩＤ「２００２」の会員カードが同一の遊技客により使用された可能性があると判定することができる。
【０１３９】
次に、複数カード使用への対処の変形例について説明する。複数カード使用への対処として、来店ポイントの付与を抑制する場合には、図１０のステップＳ２０５において、複数カード使用の登録を行う。具体的には、検出部５６ｄが、同一遊技客により他のカードとともに使用されたカードのカードＩＤを複数カード使用データとして記憶部５５に登録する。そして、来店ポイント付与部５６ｆは、カード挿入通知を受信した場合に、複数カード使用データを参照して来店ポイントを付与するか否かを決定する。
【０１４０】
図１２は、来店ポイントの付与を抑制する場合の処理の説明図である。複数カード使用への対処として来店ポイントの付与を抑制する場合、まず、来店履歴管理部５６ｃは、カード管理装置４０からカード挿入通知を受信して（ステップＳ４０１）、来店履歴データ５５ｄを更新する（ステップＳ４０２）。
【０１４１】
ステップＳ４０２の後、来店ポイント付与部５６ｆは、複数カード使用データを参照し、挿入されたカードのカードＩＤが登録されているか否かを判定する（ステップＳ４０３）。
【０１４２】
判定の結果、カードＩＤが複数カード使用データに登録されていなければ（ステップＳ４０３；Ｎｏ）、来店ポイント付与部５６ｆは、来店ポイントを付与して（ステップＳ４０４）、来店ポイント付与通知を送信し（ステップＳ４０５）、処理を終了する。
【０１４３】
一方、カードＩＤが複数カード使用データに登録されているならば（ステップＳ４０３；Ｙｅｓ）、来店ポイント付与部５６ｆは、来店ポイントの付与を行わずに、来店ポイントの付与ができない旨の通知を送信して（ステップＳ４０６）、処理を終了する。
【０１４４】
このように、複数カード使用への対処として、来店ポイントの付与を自動的に抑制するよう構成すれば、１の遊技客が複数枚の会員カードを使用して特典を不正に取得する事態を防止できる。
【０１４５】
また、上述の変形例の説明では、カードの挿入通知を受けた場合に、カードＩＤが複数カード使用データに登録されている場合には、来店ポイントの付与を抑制する場合の制御を示しているが、本変形例においては、会員管理装置５０において、「来店ポイントの付与を抑制する」設定と、「来店ポイントの付与を抑制しない」設定を行うことができる。「来店ポイントの付与を抑制しない」設定を行っている場合において、カードＩＤが複数カード使用データに登録されているときには、店舗の事務所等に設置されている会員管理装置５０の表示画面に対し認識可能な情報を表示するなどして、複数カード使用データに登録された会員が来店したことを遊技店の店員に報知する。この報知は、カードが挿入された台間カード処理機１０あるいは該台間カード処理機１０に対応する遊技機２０を特定可能な情報（例えば台番号）とともに報知されるため、遊技店の店員は台間カード処理機１０を使用中の会員に対して確認を行う運用が可能になる。なお、この報知を行う場合には、複数カードを使用している可能性がある旨を認識可能な情報を表示することが好ましいが、これに限定されるものではなく、単に遊技店が来店を認識すべき会員が来店したことを認識可能なレベルの情報の表示でもよい。例えば、忘れ物等をした会員等は、遊技店側が来店を認識すべき会員であることを登録しておき、会員カードが挿入された場合に、店舗の事務所等に設置されている会員管理装置５０の表示画面に対し来店を認識可能な情報を表示する運用が考えられるが、これらの情報と同一の情報が上記の報知のときに共通に用いられる構成でもよい。
【０１４６】
また、上述の変形例における「来店ポイントの付与を抑制しない」設定のみを有する場合であっても、複数のカードを使用している可能性のある会員に対し遊技店の店員が対処を行うことができるため、本発明に含まれる。
【０１４７】
上述してきたように、本実施例に係る遊技管理システムは、台間カード処理機１０が会員カードのカードＩＤを読み取り、会員管理装置５０が来店履歴データ５５ｄを生成し、来店履歴データに示された会員カードの読み取り状況に基づいて１の遊技客による複数の会員カードの使用を検出することで、遊技客の来店状況を正確に管理することができる。
【０１４８】
また、来店履歴データ５５ｄから連続して使用された会員カードを判定して抽出するため、判定に係る閾値を変更した場合には、過去の来店履歴に遡って判定のやり直しが可能である。
【０１４９】
なお、会員カードの複数使用を行った可能性があると判定した遊技客や、会員カードの複数使用を行ったと判定した遊技客に関する情報を不正行為者情報として蓄積することとしてもよい。
【０１５０】
また、本実施例では、会員カードの挿入と排出の時間に基づいて同一の遊技客により使用された可能性のある会員カードの組み合わせを抽出しているが、同時に異なる台間カード処理機１０で使用されていた会員カードの組み合わせについては、抽出対象から除外してもよい。
【０１５１】
また、本実施例では、台間カード処理機１０での会員カードの処理に基づいて来店履歴データ５５ｄを生成する場合を例に説明を行ったが、賞品管理装置６０、島端計数機、来店ポイントを付与する専用の装置などで用いられた会員カードの情報を用いて来店履歴データ５５ｄを生成することも可能である。
【０１５２】
また、本実施例では、複数カードの使用を検出した場合に、来店ポイントの付与を抑制する場合を例に説明を行ったが、貯玉再プレイ上限の引き下げ、手数料緩和の取り止め、会員カードのロックなど、任意の対処を行うことができる。
【０１５３】
また、遊技客の顔画像を撮像して会員カードに関連付けて登録し、登録された顔画像と会員カードとが不一致となった場合に報知を行なう構成としてもよい。
【０１５４】
また、本実施例では、会員カードが当日初めて挿入された時点で来店ポイントの付与を行い、同一の遊技客により他の会員カードとともに使用された可能性のある会員カードについては、来店ポイントの付与を抑制する構成について説明したが、来店ポイントの付与と抑制は適宜構成を変更して行うことができる。
【０１５５】
例えば、会員カードが当日初めて挿入された時点で来店ポイントの付与を行う構成において、同一の遊技客により他の会員カードとともに使用された可能性のある会員カードには来店ポイントの付与を行なわない構成としてもよい。
【０１５６】
また、会員カードが当日初めて挿入された時点で来店ポイントの付与を行う構成において、同一の遊技客により他の会員カードとともに使用された可能性のある会員カードには来店ポイントの付与を保留する構成としてもよい。
【０１５７】
また、会員カードが当日初めて挿入された時点で来店ポイントの付与を行う構成において、営業時間中には全ての会員カードに来店ポイントを一旦付与し、閉店後に同一の遊技客により他の会員カードとともに使用された可能性のある会員カードを抽出し、抽出結果の会員カードに付与した来店ポイントを保留状態に移行する構成としてもよい。
【０１５８】
また、閉店後に当日使用された会員カードに来店ポイントの付与を行う構成とし、同一の遊技客により他の会員カードとともに使用された可能性のある会員カードには来店ポイントの付与を行なわない構成としてもよい。
【０１５９】
また、閉店後に当日使用された会員カードに来店ポイントの付与を行う構成とし、同一の遊技客により他の会員カードとともに使用された可能性のある会員カードには来店ポイントの付与を保留する構成としてもよい。
【０１６０】
なお、保留状態とした来店ポイントは、会員管理装置５０等が一定期間記憶し、従業員の所定の操作（客への確認行為など）を経て正式に付与可能とすることが望ましい。
【０１６１】
また、本実施例では、同一の台間カード処理機１０に連続して挿入された会員カードを抽出する場合を例に説明を行ったが、隣接する台間カード処理機１０に連続して挿入された会員カードを抽出し、同一の遊技客により使用された可能性があると判定してもよい。
【０１６２】
また、上述の実施例では説明を省略しているが、本実施例における台間カード処理機１０は、受け付け中の一般カードに関連する価値（例えば、プリペイド価値、持玉数など）を遊技客の所定の操作（例えば、表示操作部１３への操作後に会員カードを挿入するなど）により、会員カードに関連付ける移行処理を行う機能を有していてもよい。この場合、一般カードの受け付けを、移行先の会員カードの受け付けと見なして、同一の台間カード処理機１０への会員カードの連続挿入を検出する構成であってもよい。つまり、会員カードに続いて所定の閾値以内の時間に一般カードが挿入され、その後に一般カードの価値が会員カードへ移行された場合にも、上述の実施例と同様の条件で抽出が行われることとなる。
【０１６３】
また、本実施例では、会員管理装置５０が来店履歴の管理と複数カード使用の判定を行う構成を例示したが、来店履歴の管理や複数カード使用の判定は他の装置が行ってもよい。具体的には、遊技店内に専用の装置を設けてもよいし、遊技店外に設けられたセンタで行ってもよい。センタを用いる構成では、センタは複数の遊技店について来店履歴の管理や複数カード使用の判定を行うことができ、判定結果を該当店舗に対してメールなどで通知することができる。また、複数カード使用の判定は、台間カード処理機１０が会員管理装置５０から閾値等の配信を受けて記憶し、台間カード処理機１０にて行うこともできる。閾値等の配信のタイミングとしては、非営業中（例えば閉店後、開店前）に行うことが好ましい。さらにこの場合、台間カード処理機１０において対応する遊技機２０の遊技状況（例えばアウト玉、セーフ玉の状況を示す信号）を収集可能にして、これらを加味した複数カード使用の判定を行うことも可能である。
【０１６４】
また、本実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１６５】
また、本実施例では、遊技玉を遊技媒体として使用する場合を例に説明を行なったが、スロットマシン用のメダルを用いる場合にも適用可能である。なお、スロットマシンに適用する場合には、上記実施例におけるアウト玉を示す信号はスロットマシンに投入されたメダル数を示す信号（例えばイン信号）、セーフ玉を示す信号はスロットマシンから払い出されるメダル数を示す信号（例えばアウト信号）に置き換えて適用することが可能である。
【０１６６】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１６７】
以上のように、本発明に係る遊技管理システム及び遊技管理方法は、遊技客の来店状況を正確に管理することに適している。
【符号の説明】
【０１６８】
１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、５５  記憶部
１６ａ  自装置状態データ
１６ｂ  カードデータ
１７、５６  制御部
１７ａ  データ管理部
１７ｂ  計数処理部
１８ａ  ノズルユニット
１８ｂ  計数ユニット
２０  遊技機
３０  島コントローラ
４０  カード管理装置
５０  会員管理装置
５１  表示部
５２  入力部
５３  外部ネットワーク通信部
５４  店舗ネットワーク通信部
５５ａ  会員管理データ
５５ｂ  遊技種設定データ
５５ｃ  賞品マスタ
５５ｄ  来店履歴データ
５６ａ  会員管理部
５６ｂ  賞品マスタ管理部
５６ｃ  来店履歴管理部
５６ｄ  検出部
５６ｅ  報知出力部
５６ｆ  来店ポイント付与部
６０  賞品管理装置
８０  精算機
【図１】
2018126320.tif 000003
【図２】
2018126320.tif 000004
【図３】
2018126320.tif 000005
【図４】
2018126320.tif 000006
【図５】
2018126320.tif 000007
【図６】
2018126320.tif 000008
【図７】
2018126320.tif 000009
【図８】
2018126320.tif 000010
【図９】
2018126320.tif 000011
【図１０】
2018126320.tif 000012
【図１１】
2018126320.tif 000013
【図１２】
2018126320.tif 000014